(57)【要約】【課題】装置の種別に関係なく無線ＬＡＮ通信のセキュリティ設定プロトコルを適用可能とする。【解決手段】本発明の一態様に係る無線通信装置は、装置本体ＳＴＡ１と補助装置Ｒ１とを具備する。装置本体ＳＴＡ１は、無線ＬＡＮ通信のセキュリティ設定を自動化するためのプロトコルであるＷＰＳに準拠しており、基地局ＡＰ１との間で通信を行う第１の通信手段４と、ＰＩＮコードを生成する生成手段７と、生成されたＰＩＮコードを送信する第２の通信手段６と、第１の通信手段４を用いて基地局ＡＰ１との間でＷＰＳ−ＰＩＮ方式のセキュリティ設定を行い、基地局ＡＰ１との間で行われるデータ通信を制御する制御手段５とを具備する。補助装置Ｒ１は、装置本体ＳＴＡ１とは分離しており、第２の通信手段６によって送信されたＰＩＮコードを受信する第３の通信手段８と、受信されたＰＩＮコードを表示する表示手段１０とを具備する。【選択図】      図１
2010021802.tif 000002
【特許請求の範囲】
【請求項１】
無線ＬＡＮ通信のセキュリティ設定を自動化するためのプロトコルであるＷＰＳに準拠しており、基地局との間で通信を行う第１の通信手段と、ＰＩＮコードを生成する生成手段と、前記生成手段によって生成されたＰＩＮコードを送信する第２の通信手段と、前記第１の通信手段を用いて前記基地局との間でＷＰＳ−ＰＩＮ方式のセキュリティ設定を行い、前記基地局との間で行われるデータ通信を制御する制御手段と、を具備する装置本体と、
前記装置本体とは分離しており、前記第２の通信手段によって送信された前記ＰＩＮコードを受信する第３の通信手段と、前記第３の通信手段によって受信された前記ＰＩＮコードを表示する表示手段と、を具備する補助装置と
を具備する無線通信装置。
【請求項２】
前記第２の通信手段と前記第３の通信手段との間で、暗号化されたＰＩＮコードが送受信されることを特徴とする請求項１記載の無線通信装置。
【請求項３】
無線ＬＡＮ通信のセキュリティ設定を自動化するためのプロトコルであるＷＰＳの開始操作を受ける操作受付手段と、前記操作受付手段によってＷＰＳの開始操作を受けた場合に、ＷＰＳ開始通知を送信する第１の通信手段と、を具備する補助装置と、
ＷＰＳに準拠しており、前記補助装置とは分離しており、前記第１の通信手段によって送信された前記ＷＰＳ開始通知を受信する第２の通信手段と、基地局との間で通信を行う第３の通信手段と、前記第２の通信手段によって前記ＷＰＳ開始通知が受信された場合に、前記第３の通信手段を用いて前記基地局との間でＷＰＳ−ＰＢＣ方式のセキュリティ設定を行い、前記基地局との間で行われるデータ通信を制御する制御手段と、を具備する装置本体と
を具備する無線通信装置。
【請求項４】
前記装置本体は、家庭用電化製品であることを特徴とする請求項１乃至請求項３のいずれか１項に記載の無線通信装置。
【請求項５】
前記補助装置は、リモートコントローラであることを特徴とする請求項１乃至請求項４のいずれか１項に記載の無線通信装置。
【発明の詳細な説明】
【技術分野】
【０００１】
本発明は、無線ＬＡＮ通信のセキュリティ設定プロトコルに準拠している無線通信装置に関する。
【背景技術】
【０００２】
ＷＰＳ（Wi-Fi Protected Setup）は、ユーザにとって難解な無線ＬＡＮ（Local Area Network）通信のセキュリティ設定を自動化するためのプロトコルである。
【０００３】
無線ＬＡＮにおいてセキュリティを施そうとすると、ユーザは最初に複雑で難解な設定に直面する。ユーザは、このような理解しにくい設定に直面すると、設定を無視して接続を試みる。つまり、ユーザはノーセキュリティで通信を行う場合がある。無線通信では、データを傍受される可能性があり、ノーセキュリティによる通信は危険である。そこで、複雑なセキュリティ設定を自動化するプロトコルとしてＷＰＳが設けられた。
【０００４】
ＷＰＳには、ＰＩＮ（Personal Identification Number）方式とＰＢＣ（Push Button Configuration）方式とがあり、ＷＰＳを用いて無線ＬＡＮ機器同士を接続する場合、ＰＩＮ方式とＰＢＣ方式とのうちのいずれかが選択される。
【０００５】
ＰＩＮ方式では、端末側の無線通信装置であるステーション（Station）によって生成された４桁又は８桁のＰＩＮが基地局の無線通信装置であるアクセスポイント（Access Point）に入力された後、ステーションとアクセスポイントとの間でＷＰＳによる通信が開始される。例えば、パーソナルコンピュータに実装されているＰＩＮ方式は、ＰＩＮコードがステーション側のモニタに出力され、ユーザは、その値をアクセスポイント側に入力する。その後、通信が開始される。
【０００６】
ＰＢＣ方式では、アクセスポイントとステーションとのそれぞれに備えられているプッシュボタンを押すだけで、ＷＰＳによる通信が開始される。ＰＢＣ方式では、セキュリティ設定のために、プッシュボタンを押す以外のユーザの設定及び操作は必要なく、ＰＢＣにより自動設定される。ＰＢＣでは、アクセスポイントとステーションとの間で予め設定されているＰＩＮを利用するので、毎回新しいＰＩＮが生成されるＰＩＮ方式と比較するとセキュリティ面で劣る。
【０００７】
パーソナルコンピュータにＰＩＮ方式を実装する場合、ステーション側のモニタにＰＩＮが表示されるため特に問題はない。しかしながら、家庭用の電化製品（家電）にＰＩＮ方式を実装する場合には、電化製品の種類によってはＰＩＮを表示する機能、場所、画面が存在しないため、ＰＩＮ方式の採用が困難な場合がある。
【０００８】
また、パーソナルコンピュータにＰＢＣ方式を実装する場合、ボッシュボタン自体がモニタに表示されていたり、無線ＬＡＮデバイスの表面にプッシュボタンが用意されているため、特に問題はない。しかしながら、電化製品（家電）にＰＢＣ方式を実装すると（例えば電化製品がエアーコンディショナーなどのように高い位置に設置される場合など）、プッシュボタンを押すことが困難な場合がある。
【０００９】
特許文献１には、キャッシュレジスタで支払いを行う顧客が所持している携帯端末でＰＩＮコードを生成し、生成したＰＩＮコードをキャッシュレジスタのオペレータに提示し、オペレータがＰＩＮコードをキャッシュレジスタに入力した後に、このＰＩＮコードを利用して携帯端末とキャッシュレジスタとの双方で認証処理を行うことが記載されている。
【００１０】
特許文献２には、変換アダプタに設けられたＬＥＤの点滅パターンに合わせて、接続要求側のＰＩＮ入力ボタンを押下することにより、認証データの交換、共有化を実施することが記載されている。
【特許文献１】特開２００６−１２１７２６号公報
【特許文献２】特開２００７−３２３３３９号公報
【発明の開示】
【発明が解決しようとする課題】
【００１１】
本発明は、以上のような実情に鑑みてなされたもので、装置の種別に関係なくＷＰＳを適用可能とする無線通信装置を提供することを目的とする。
【課題を解決するための手段】
【００１２】
本発明の第１の態様に係る無線通信装置は、無線ＬＡＮ通信のセキュリティ設定を自動化するためのプロトコルであるＷＰＳに準拠しており、基地局との間で通信を行う第１の通信手段と、ＰＩＮコードを生成する生成手段と、生成手段によって生成されたＰＩＮコードを送信する第２の通信手段と、第１の通信手段を用いて基地局との間でＷＰＳ−ＰＩＮ方式のセキュリティ設定を行い、基地局との間で行われるデータ通信を制御する制御手段と、を具備する装置本体と、装置本体とは分離しており、第２の通信手段によって送信されたＰＩＮコードを受信する第３の通信手段と、第３の通信手段によって受信されたＰＩＮコードを表示する表示手段と、を具備する補助装置とを具備する。
【００１３】
本発明の第２の態様に係る無線通信装置は、無線ＬＡＮ通信のセキュリティ設定を自動化するためのプロトコルであるＷＰＳの開始操作を受ける操作受付手段と、操作受付手段によってＷＰＳの開始操作を受けた場合に、ＷＰＳ開始通知を送信する第１の通信手段と、を具備する補助装置と、ＷＰＳに準拠しており、補助装置とは分離しており、第１の通信手段によって送信されたＷＰＳ開始通知を受信する第２の通信手段と、基地局との間で通信を行う第３の通信手段と、第２の通信手段によってＷＰＳ開始通知が受信された場合に、第３の通信手段を用いて基地局との間でＷＰＳ−ＰＢＣ方式のセキュリティ設定を行い、基地局との間で行われるデータ通信を制御する制御手段と、を具備する装置本体とを具備する。
【発明の効果】
【００１４】
本発明により、装置の種別に関係なくＷＰＳを適用することができる。
【発明を実施するための最良の形態】
【００１５】
以下、図面を参照しながら本発明の実施の形態について説明する。なお、以下の各図において同様の部分については同一の符号を付して説明を省略する。
【００１６】
（第１の実施の形態）
本実施の形態に係る通信システムは、アクセスポイントとステーションとの間で無線ＬＡＮ通信を行う。
【００１７】
本実施の形態に係る通信システムでは、ＷＰＳを適用可能とするために、ステーション側に表示機能が備えられていない場合に、表示機能が備えられている補助装置に、このステーションのＰＩＮコードが配信され、この補助装置においてステーションのＰＩＮコードが表示される。
【００１８】
図１は、本実施の形態に係る通信システムの一例を示すブロック図である。
【００１９】
通信システム１は、アクセスポイントＡＰ１、ステーションＳＴＡ１、リモートコントローラＲ１を具備する。通信システム１のアクセスポイントＡＰ１及びステーションＳＴＡ１は、無線ＬＡＮ通信のセキュリティ設定プロトコルであるＷＰＳを実装する。
【００２０】
アクセスポイントＡＰ１は、ステーションＳＴＡ１との間で通信を行う通信部２と、通信部２を用いてステーションＳＴＡ１との間で行われるデータ通信を制御する制御部３とを具備する。
【００２１】
さらに、このアクセスポイントＡＰ１の制御部３は、アクセスポイントＡＰ１側におけるＷＰＳ−ＰＩＮ方式のセキュリティ設定の処理を行う。
【００２２】
ステーションＳＴＡ１は、アクセスポイントＡＰ１との間で通信を行う通信部４、制御部５、リモートコントローラＲ１との間で通信を行う通信部６を具備する。
【００２３】
このステーションＳＴＡ１は、例えば、家庭用電気製品であり、リモートコントローラＲ１からの信号に応じて動作状態を切り替える。
【００２４】
ステーションＳＴＡ１の制御部（例えば無線ＬＡＮチップ）５は、ＰＩＮコードを生成するＰＩＮコード生成部７を具備する。このＰＩＮコード生成部７は、ＰＩＮコード生成トリガを、例えば、アクセスポイントＡＰ１から通信部４経由で受信する、リモートコントローラＲ１から通信部６経由で受信する、例えば、ステーションＳＴＡ１に対してユーザが直接指示する、などの手法により取得する。そして、ＰＩＮコード生成部７は、ＰＩＮコード生成トリガに応じて、ＰＩＮコードを生成する。
【００２５】
さらに、ステーションＳＴＡ１の制御部５は、通信部４を用いてアクセスポイントＡＰ１との間でＷＰＳ−ＰＩＮ方式のセキュリティ設定を行い、アクセスポイントＡＰ１との間で行われるデータ通信を制御する。
【００２６】
通信部６は、ＰＩＮコード生成部５によって生成されたＰＩＮコードをリモートコントローラＲ１に対して送信する。
【００２７】
リモートコントローラＲ１は、ステーションＳＴＡ１とは分離した構造を持つ補助的装置である。リモートコントローラＲ１は、通信部８、制御部９、表示部１０を具備する。このリモートコントローラＲ１は、ユーザの操作を受け付け、この操作に応じてステーションＳＴＡ１の状態を切り替えるための信号をステーションＳＴＡ１に送信する。
【００２８】
通信部８は、ステーションＳＴＡ１の通信部６から送信されたＰＩＮコードを受信する。
【００２９】
制御部９は、通信部８によって受信されたＰＩＮコードを受け、このＰＩＮコードを表示部１０に表示するための制御を行う。
【００３０】
表示部１０は、制御部９による制御にしたがってＰＩＮコードを表示する。
【００３１】
本実施の形態において、例えば、ステーションＳＴＡ１とアクセスポイントＡＰ１との間、ステーションＳＴＡ１とリモートコントローラＲ１との間は、それぞれ通信可能であるが、アクセスポイントＡＰ１とリモートコントローラＲ１との間では通信不可とする。
【００３２】
この通信システム１では、ＰＩＮコードを生成する装置であるステーションＳＴＡ１と、ＰＩＮコードを表示する装置であるリモートコントローラＲ１とが分離されている。例えば、ステーションＳＴＡ１は、リモートコンローラＲ１で操作される扇風機、エアーコンディショナー、テレビジョンなどの各種家庭用電化製品であり、無線ＬＡＮ通信のステーションの機能を具備しており、ＷＰＳ−ＰＩＮ方式を用いてアクセスポイントＡＰ１と接続する。
【００３３】
本実施の形態に係る通信システム１では、まず、ステーションＳＴＡ１のＰＩＮコード生成部５によってＰＩＮコードが生成される。
【００３４】
生成されたＰＩＮコードはステーションＳＴＡ１の通信部６からリモートコントローラＲ１に例えば赤外線通信などによって送信される。
【００３５】
ステーションＳＴＡ１から送信されたＰＩＮコードは、リモートコントローラＲ１の通信部８によって受信される。
【００３６】
リモートコントローラＲ１に受信されたＰＩＮコードは、リモートコントローラＲ１の制御部９による制御にしたがって表示部１０で表示される。
【００３７】
アクセスポイントＡＰ１の制御部３は、リモートコントローラＲ１の表示部１０によって表示されたＰＩＮコードの入力を受け付ける。そして、アクセスポイントＡＰ１の制御部３とステーションＳＴＡ１の制御部５とは、アクセスポイントＡＰ１によって受け付けられたＰＩＮコードに基づいて、アクセスポイントＡＰ１の通信部２とステーションＳＴＡ１の通信部４との間で、ＷＰＳ−ＰＩＮ方式の接続及び通信を行う。
【００３８】
以上説明した本実施の形態においては、ＷＰＳ−ＰＩＮ方式をサポートしているステーションＳＴＡ１がＰＩＮコードを表示する機能を備えていない場合であっても、このステーションＳＴＡ１と通信可能な別の装置にＰＩＮコードを表示させることができる。
【００３９】
これにより、ＰＩＮコードを生成した装置に表示部が備えられていない場合であっても、ユーザはＰＩＮコードを知ることができ、ＰＩＮコードをアクセスポイントＡＰ１に入力することができる。
【００４０】
なお、本実施の形態においては、例えば、図２のように、リモートコントローラＲ１は、複数のステーションＳＴＡ１，ＳＴＡ２と通信可能であり、複数のステーションＳＴＡ１，ＳＴＡ２で生成されたＰＩＮコードを表示するとしてもよい。この場合、例えば、ステーションＳＴＡ１，ＳＴＡ２は、自機の識別コードと生成されたＰＩＮコードとをリモートコントローラＲ１に送信し、リモートコントローラＲ１は受信した識別コードとＰＩＮコードとを表示する。アクセスポイントＡＰ１は、識別コードに対応するＰＩＮコードを入力する。アクセスポイントＡＰ１と各ステーションＳＴＡ１，ＳＴＡ２との間では、各ステーションＳＴＡ１，ＳＴＡ２に対応するＰＩＮコードに基づいて、ＷＰＳ−ＰＩＮ方式のセキュリティ設定の処理が行なわれる。なお、図２では、１台のリモートコントローラＲ１に対して２台のステーションＳＴＡ１，ＳＴＡ２が対応付けられているが、１台のリモートコントローラＲ１に対して３台以上のステーションが対応付けられていてもよい。
【００４１】
（第２の実施の形態）
図３は、本実施の形態に係る通信システムの構成の一例を示すブロック図である。
【００４２】
本実施の形態に係る通信システム１１は、アクセスポイントＡＰ１と、ＰＩＮコードを生成し、表示する機能を持つ家庭用電化製品１２とを具備する。
【００４３】
これまでの家庭用電化製品には、ＷＰＳ−ＰＩＮ方式が搭載されておらず、そもそもＰＩＮコードを表示する仕組みすら考えられていない。これに対して、本実施の形態においては、家庭用電化製品に表示部を搭載し、ＷＰＳ−ＰＩＮ方式で動作する際に、ＰＩＮコードを画面に表示させてユーザへＰＩＮコードの値を通知し、家庭用電化製品でもＷＰＳ−ＰＩＮ方式を適用可能としている。
【００４４】
この通信システム１１では、ＰＩＮコードを生成する装置とＰＩＮコードを表示する装置とを一体化した家庭用電化製品１２がステーションの機能を実現する。
【００４５】
家庭用電化製品１２は、通信部４と、制御部５と、表示部１４とを具備する。
【００４６】
家庭用電化製品１２としては、例えば、携帯電話、デジタル時計などがある。家庭用電化製品１２は、ＰＩＮコードを生成するＰＩＮコード生成部７と、ＰＩＮコードを表示する表示部１４との双方を持ち、無線ＬＡＮ通信のステーション機能を具備しており、ＷＰＳ−ＰＩＮ方式を用いてアクセスポイントＡＰ１と接続する。
【００４７】
本実施の形態に係る通信システム１１では、まず、家庭用電化製品１２の制御部５のＰＩＮコード生成部７によってＰＩＮコードが生成される。
【００４８】
生成されたＰＩＮコードは、家庭用電化製品１２の表示部１４によって表示される。
【００４９】
アクセスポイントＡＰ１の制御部３は、家庭用電化製品１２の表示部１４によって表示されたＰＩＮコードの入力を受け付ける。そして、アクセスポイントＡＰ１の制御部３と家庭用電化製品１２の制御部５とは、入力されたＰＩＮコードの値に基づいて、アクセスポイントＡＰ１の通信部２と家庭用電化製品１２の通信部４との間で、ＷＰＳ−ＰＩＮ方式の接続及び通信を行う。
【００５０】
以上説明した本実施の形態においては、ＷＰＳ−ＰＩＮ方式をサポートしている家庭用電化製品１２がＰＩＮコードを表示する機能を備えており、この家庭用電化製品１２の表示部１４にＰＩＮコードを表示させることができる。これにより、家庭用電化製品１２においてＷＰＳ−ＰＩＮ方式を用いることができる。
【００５１】
（第３の実施の形態）
本実施の形態においては、上記第１の実施の形態に係る通信システムの変形例であり、ステーションとリモートコントローラとの間で暗号化通信を行う通信システムについて説明する。
【００５２】
図４は、本実施の形態に係る通信システムの構成の一例を示すブロック図である。
【００５３】
本実施の形態に係る通信システム１５において、ステーションＳＴＡ３の制御部１６は、ＰＩＮコード生成部７と暗号化部１７とを具備する。
【００５４】
暗号化部１７は、秘密鍵を用いて、ＰＩＮコード生成部７によって生成されたＰＩＮコードを暗号化する。通信部６は、暗号化ＰＩＮコードをリモートコントローラＲ２に対して送信する。
【００５５】
リモートコントローラＲ２の通信部８は、ステーションＳＴＡ３から送信された暗号化ＰＩＮコードを受信する。
【００５６】
リモートコントローラＲ２の制御部１８は、復号化部１９を具備する。この復号化部１９は、秘密鍵を用いて、暗号化ＰＩＮコードを復号化し、ＰＩＮコードを求め、このＰＩＮコードを表示部１０に表示させるための処理を実行する。
【００５７】
例えば、暗号化として、共通鍵暗号化方式を用いることができる。
【００５８】
本実施の形態において、ステーションＳＴＡ３とこのステーションＳＴＡ３を制御するリモートコントローラＲ２とは、一組となって利用される。ステーションＳＴＡ３とリモートコントローラＲ２とには、予め互いに秘密鍵が備えられており、この秘密鍵を用いてＰＩＮコードの暗号化及び復号化が行われる。
【００５９】
本実施の形態により、ステーションＳＴＡ３からリモートコントローラＲ３へＰＩＮコードが平文で送信される場合よりも、セキュリティを向上させることができる。本実施の形態においてステーションＳＴＡ３が家庭用電化製品であれば、このＷＰＳ−ＰＩＮ方式をサポートしている家庭用電化製品は、リモートコントローラＲ３に対して安全にＰＩＮコードを送信することができる。
【００６０】
（第４の実施の形態）
本実施の形態においては、ＷＰＳ−ＰＢＣ方式でセキュリティ設定を行う通信システムについて説明する。
【００６１】
図５は、本実施の形態に係る通信システムの構成の一例を示すブロック図である。
【００６２】
通信システム２０は、リモートコントローラＲ３、ステーションＳＴＡ４、アクセスポイントＡＰ２を具備する。通信システム２０のアクセスポイントＡＰ２及びステーションＳＴＡ４は、無線ＬＡＮ通信のセキュリティ設定プロトコルであるＷＰＳを実装する。
【００６３】
リモートコントローラＲ３は、ボタン２１、制御部２２、通信部２３を具備する。このリモートコントローラＲ３は、ステーションＳＴＡ４とは分離した構造を持つ補助的装置である。
【００６４】
ボタン２１は、ＷＰＳの開始操作を受け付ける。なお、ユーザは画面に表示されたボタンを押下することで、ＷＰＳの開始を指示するとしてもよい。また、ボタン２１に代えてＷＰＳの開始を指示可能な様々な操作受付手段を用いることができる。例えば、画面に表示された操作内容リストの中から、ＷＰＳの開始を選択可能としてもよい。
【００６５】
リモートコントローラＲ３の制御部２２は、ボタン２１によってＷＰＳの開始操作を受けた場合に、ＷＰＳ開始信号を生成する。
【００６６】
リモートコントローラＲ３の通信部２３は、制御部２２によって生成されたＷＰＳ開始信号をステーションＳＴＡ４に送信する。
【００６７】
ステーションＳＴＡ４は、リモートコントローラＲ３との間でデータ通信を行う通信部２４，アクセスポイントＡＰ２との間でデータ通信を行う通信部２５、ステーションＳＴＡ４側のＷＰＳ−ＰＢＣ方式のセキュリティ設定の処理を行う制御部（無線ＬＡＮチップ）２６を具備する。このステーションＳＴＡ４は、例えば、家庭用電気製品であり、リモートコントローラＲ３から信号に応じて動作状態を切り替える。
【００６８】
通信部２４は、リモートコントローラＲ３の通信部２３から送信されたＷＰＳ開始信号を受信し、このＷＰＳ開始信号を制御装置２６に与える。
【００６９】
通信部２５は、制御部２６による制御にしたがってアクセスポイントＡＰ２との間で通信を行う。
【００７０】
ステーションＳＴＡ４の制御部２６は、通信部２４によってＷＰＳ開始信号が受信され、この受信されたＷＰＳ開始信号を通信部２４から受け付けた場合に、通信部２５を用いてアクセスポイントＡＰ２との間でＷＰＳ−ＰＢＣ方式のセキュリティ設定を行い、アクセスポイントＡＰ２との間で行われるデータ通信を制御する。
【００７１】
アクセスポイントＡＰ２は、アクセスポイントＡＰ２側でＷＰＳ−ＰＢＣ方式のセキュリティ設定の処理を行う制御部２７、制御部２７による制御にしたがってステーションＳＴＡ４との間でデータ通信を行う通信部２８を具備する。このアクセスポイントＡＰ２は、ステーションＳＴＡ４と無線ＬＡＮによって接続される。
【００７２】
本実施の形態において、例えば、ステーションＳＴＡ４とアクセスポイントＡＰ２との間、ステーションＳＴＡ４とリモートコントローラＲ３との間は、それぞれ通信可能であるが、アクセスポイントＡＰ２とリモートコントローラＲ３との間では通信不可とする。
【００７３】
この通信システム２０では、ステーションＳＴＡ４と、ボタン２１を備えている装置であるリモートコントローラＲ３とが分離されている。例えば、ステーションＳＴＡ４は、リモートコンローラＲ３で操作される扇風機、エアーコンディショナー、テレビジョンなどの各種家庭用電化製品であり、無線ＬＡＮ通信のステーション機能を具備しており、ＷＰＳ−ＰＢＣ方式を用いてアクセスポイントＡＰ２と接続する。ステーションＳＴＡ４は、例えば高所などユーザが直接操作することが困難な位置に設置されている。
【００７４】
本実施の形態に係る通信システム２０では、まず、リモートコントローラＲ３のボタン２１が押下操作（ＷＰＳ開始操作）される。
【００７５】
すると、リモートコントローラＲ３の制御部２２は、このボタン２１の押下動作に応じてＷＰＳ開始信号を生成する。
【００７６】
ＷＰＳ開始信号は、リモートコントローラＲ３の通信部２３からステーションＳＴＡ４に、例えば赤外線通信などによって送信される。そして、リモートコントローラＲ３から送信されたＷＰＳ開始信号は、ステーションＳＴＡ４の通信部２４によって受信される。
【００７７】
ステーションＳＴＡ４の通信部２４によって受信されたＷＰＳ開始信号は、ステーションＳＴＡ４の制御部２６に通知される。すると、ステーションＳＴＡ４の制御部２６及び通信部２５と、アクセスポイントＡＰ２の制御部２７及び通信部２８との間で、ＷＰＳ−ＰＢＣ方式によるセキュリティ設定が開始される。
【００７８】
本実施の形態のように、ＷＰＳ−ＰＢＣ方式を用いた場合、アクセスポイントＡＰ２とステーションＳＴＡ４とに予め設定されている８桁のＰＩＮコードを利用して接続が試みられる。このため、ユーザは、ＷＰＳ−ＰＩＮ方式のようにステーションで生成されたＰＩＮコードの値を一度表示し、アクセスポイントに設定するという手間を省くことができる。
【００７９】
以上説明した本実施の形態においては、無線ＬＡＮ通信用の制御部自体は、ステーションＳＴＡ４に備えられているが、ボタン２１はリモートコントローラＲ３に備えられており、リモートコントローラＲ３のボタン２１が押されると、リモートコントローラＲ３からステーションＳＴＡ４にＷＰＳの開始が通知される。例えば、エアーコンディショナーに無線ＬＡＮ通信の機能を搭載させたいが、このエアーコンディショナーは非常に高い位置に取り付けられる場合、ボタンをこのエアーコンディショナーに取り付けることは適切でない。しかしながら、本実施の形態においては、無線ＬＡＮ通信の機能を備えたステーションに直接ＷＰＳを開始するためのボタンを取り付けることができない場合、又は、ステーションに直接ボタンを備えるとボタンを押す操作が困難となる場合においても、ステーションＳＴＡ４とは別構造のリモートコントローラＲ３にボタン２１が設けられており、ＷＰＳを開始する旨の信号がリモートコントローラＲ３からステーション４に送信されるため、ＷＰＳ−ＰＢＣ方式のセキュリティ設定を容易に行うことができる。
【００８０】
なお、本実施の形態において、例えば、図６のように、リモートコントローラＲ３は、複数のステーションＳＴＡ４，ＳＴＡ５と通信可能であり、複数のステーションＳＴＡ４，ＳＴＡ５へＷＰＳ開始信号を送信可能としてもよい。この場合、例えば、リモートコントローラＲ３は、宛先情報付きのＷＰＳ開始信号を送信し、複数のステーションＳＴＡ４，ＳＴＡ６は、自身宛てのＷＰＳ開始信号を受信する。なお、図６では、１台のリモートコントローラＲ３に対して２台のステーションＳＴＡ４，ＳＴＡ５が対応付けられているが、１台のリモートコントローラＲ３に対して３台以上のステーションが対応付けられていてもよい。また、リモートコントローラＲ３の制御部２２は暗号化部を具備し、ステーションＳＴＡ４の制御部２６は復号化部を具備し、リモートコントローラＲ３とステーションＳＴＡ４との間の通信を暗号化するとしてもよい。
【００８１】
上記各実施の形態に係るアクセスポイントＡＰ１，ＡＰ２、ステーションＳＴＡ１〜ＳＴＡ５、リモートコントローラＲ１〜Ｒ３によって実行される制御部３，５，９，１６，１８，２２，２６，２７の機能は、ソフトウェア及びハードウェアのいずれでも実現させることができる。上記各実施の形態に係る通信システム１，１１，１５，２０の各構成要素は、自由に組み合わせてもよく、分割してもよい。
【図面の簡単な説明】
【００８２】
【図１】本発明の第１の実施の形態に係る通信システムの一例を示すブロック図。
【図２】第１の実施の形態に係る通信システムの変形例を示すブロック図。
【図３】本発明の第２の実施の形態に係る通信システムの一例を示すブロック図。
【図４】本発明の第３の実施の形態に係る通信システムの一例を示すブロック図。
【図５】本発明の第４の実施の形態に係る通信システムの一例を示すブロック図。
【図６】第４の実施の形態に係る通信システムの変形例を示すブロック図。
【符号の説明】
【００８３】
１，１１，１５、２０…通信システム、ＡＰ１，ＡＰ２…アクセスポイント、ＳＴＡ１〜ＳＴＡ５…ステーション、Ｒ１…リモートコントローラ、２，４，６，８，２３〜２５，２８…通信部、３，５，９，１６，１８，２２，２６，２７…制御部、７…ＰＩＮコード生成部、１０，１４…表示部、１２…家庭用電化製品、１７…暗号化部、１９…復号化部、２１…ボタン
【図１】
2010021802.tif 000003
【図２】
2010021802.tif 000004
【図３】
2010021802.tif 000005
【図４】
2010021802.tif 000006
【図５】
2010021802.tif 000007
【図６】
2010021802.tif 000008